(57)【要約】【課題】  制御盤の警報窓に窓枠を作業性よく、信頼性よく着脱できる窓枠着脱工具の提供。【解決手段】  制御盤１の警報窓２に嵌め込み式に取付けられる窓枠３を吸着する吸盤１１と、吸盤１１を前面に固定した中継部材１２と、中継部材１２を先端に着脱自在に連結した中空の伸縮継ぎ柄１３と、吸盤１１の周縁部を手動で変形させる一本の操作紐１５を備える。操作紐１５は、吸盤１１から中継部材１２と伸縮継ぎ柄１３の中を貫通して、伸縮継ぎ柄１３の後端から外に導出され、この導出部分を手で引っ張るようにする。【選択図】図１
2006315101.tif 000002
【特許請求の範囲】
【請求項１】
制御盤の警報窓用窓枠を着脱自在に吸着保持する吸盤と、この吸盤を先端に設置した中空の伸縮継ぎ柄と、この伸縮継ぎ柄の中空を貫通し、先端部が前記吸盤の周縁部に繋留され、後端部が前記伸縮継ぎ柄の後端から導出する操作紐とを具備し、
前記伸縮継ぎ柄の後端から導出する前記操作紐を手で引っ張る操作をして前記吸盤の周縁部を変形させることを特徴とする警報窓枠着脱工具。
【請求項２】
前記伸縮継ぎ柄の先端に固定式コテバケ構造の中継部材を連結し、この中継部材に前記吸盤を取付けると共に前記操作紐を挿通させたことを特徴とする請求項１記載の警報窓枠着脱工具。
【請求項３】
前記吸盤は、当該吸盤の中央部を引っ張って吸盤周縁部を物品吸着方向に変形させる強制変形部材を付設した強力式吸盤であり、この強力式吸盤の前記強制変形部材を手動で操作する操作条体を前記操作紐に添設させて前記伸縮継ぎ柄の中空を貫通させたことを特徴とする請求項１または２記載の警報窓枠着脱工具。
【発明の詳細な説明】
【技術分野】
【０００１】
本発明は、制御盤の警報窓に着脱自在に取付けられる窓枠を手動で着脱作業する際に使用される警報窓枠着脱工具に関する。
【背景技術】
【０００２】
火力発電所などの大型プラントの中央制御室に設置される中央制御盤には、数１００個以上の多数の警報窓（ランプ表示窓）が碁盤の目状に設置される。この警報窓は、プラントの各種機器の稼働状況などを点滅表示するもので、各所での作業、検査、復旧などにより何回も点滅する。また、警報窓は、遠くからでも点滅が視認し易いように中央制御室の高所に表示面を鉛直にして設置されている。
【０００３】
中央制御室の高所に設置された警報窓の点滅が作業によるものか、検査によるものか、あるいは、プラント故障発生時の異常によるものかを遠くからでも容易に視認できるように、警報窓に窓枠を着脱自在に取付けるようにしている。この窓枠は、例えば赤、黄、緑に色分けした樹脂製の矩形枠と、矩形枠に固定した樹脂製の透明窓板で構成される。室壁の高所に設けた矩形の警報窓に窓枠を嵌め込み式に装着し、警報窓の前面を窓枠の透明窓板で覆う。点滅する警報窓を視認する際に、警報窓に装着された窓枠を見て作業、検査などのいずれで点滅しているかが視認できて、点滅する警報窓の誤認が防止される。
【０００４】
中央制御室の高所に表示面を鉛直にして設置された警報窓への窓枠取付けや、警報窓からの窓枠取り外しは、長い操作杆の先端に吸盤を取付けた専用工具を使って行うか、工具を使用せず人手のみで行うかしている。専用工具は、所定の長さの操作杆の先端に吸盤を取付けたものが公知である（例えば、特許文献１参照）。この専用工具である操作杆の先端の吸盤を窓枠に押し付けて吸着させ、操作杆の後端部を作業員が手で握って吸盤と共に窓枠を高所にある警報窓まで持ち上げ、吸盤に吸着された窓枠を警報窓に嵌め込む。この場合、高所で吸盤と窓枠との着脱が確実性良く行えるように、操作杆を長さ方向にへ字状（または、く字状）に曲げており、さらに、吸盤に吸盤周縁部を変形させるための操作糸を取付けたり、吸盤に吸盤内に圧縮エアーを吹き込むためのエアーチューブを連接することが行われている。
【特許文献１】特開２００１−１９８８６３号公報
【発明の開示】
【発明が解決しようとする課題】
【０００５】
上記専用工具における操作糸は、吸盤から操作杆を伝って操作杆の後端部まで延び、操作杆の後端部を片手で握り、他の片手で操作糸を引っ張ることで吸盤の周縁部を変形させて窓枠から離れ易いようにしている。しかし、操作糸が操作杆に絡むなどして、操作糸で吸盤を変形させる際の操作性が悪く、窓枠着脱の確実性、信頼性に欠ける。また、上記専用工具におけるエアーチューブは、吸盤に圧縮エアーを送って窓枠から離れ易いようにしてる。この場合、吸盤から窓枠を外すのに圧縮エアーは効果的であるが、吸盤で窓枠を吸着するには効果的でなく、吸着力が安定しない。
【０００６】
また、上記専用工具の操作杆は、所定長さのへ字状（または、く字状）の長尺な硬質棒状体、硬質管状体であるため、その保管場所に大きな空間スペースを要する。さらに、このような操作杆は、持ち運びが不便であり、保管場所から中央制御室に持ち込んで使用する際に制御盤に当たり、制御盤に損傷を与えるなどのトラブルを引き起こすことがある。
【０００７】
以上のような専用工具の不具合から、人手のみで窓枠の取付け、取り外しを行っているのが現状である。しかし、人手のみの高所作業は、二人掛かりとなり、作業能率が悪い。即ち、中央操作盤の前に脚立を立て、一人が脚立を動かないように手で押さえ、他の一人が窓枠を持って脚立に上がり、高所の警報窓に窓枠を嵌め込む。高所の警報窓から窓枠を外す場合も、脚立を使って二人掛かりで行う必要がある。このような二人による窓枠着脱作業は、人手をかける割に作業性が悪く、脚立の移動などで設備破損が生じる問題があった。
【０００８】
本発明は、かかる実情に鑑みてなされたもので、窓枠着脱の作業性、信頼性のよい実用的な窓枠着脱工具を提供することを目的とする。
【課題を解決するための手段】
【０００９】
本発明は上記目的を達成するため、制御盤の警報窓用窓枠を着脱自在に吸着保持する吸盤と、この吸盤を先端に設置した中空の伸縮継ぎ柄と、この伸縮継ぎ柄の中空を貫通し、先端部が吸盤の周縁部に繋留され、後端部が伸縮継ぎ柄の後端から導出する操作紐とを具備した構成とし、伸縮継ぎ柄の後端から導出する操作紐を手で引っ張る操作をして吸盤の周縁部を変形させるようにしたことを特徴とする。
【００１０】
ここで、制御盤は、火力発電所の中央制御室に設置された中央制御盤などであり、多数の警報窓を備える。この警報窓に被嵌される窓枠は、例えば樹脂製の矩形枠と、この矩形枠に固定した樹脂製の透明窓板で構成された軽量なキャップ部品である。窓枠は、警報窓側に設けた磁性体に吸着される永久磁石を一体に有するものでも適用可能である。窓枠を着脱自在に吸着する吸盤は、窓枠の透明窓板の前面を負圧で吸着保持するもので、市販品のゴム吸盤や軟質弾性プラスチック吸盤が適用できる。また、吸盤は、中央部である肉厚の取付座部と、この取付座部から傘状に拡がる肉薄の弾性変形部を有し、弾性変形部の周縁部を窓枠の透明窓板に押し付けて弾性変形させることで、弾性変形部と透明窓板の間が負圧になって透明窓板を吸着する。この吸盤は、弾性変形部の周縁部外面にタブを一体に突設したタブ付吸盤が適用でき、タブに弾性変形部を変形させるための操作紐を繋留することができる。
【００１１】
また、吸盤を先端に固定した伸縮継ぎ柄は、大小径の異なる２〜３本の軽量な直管状パイプ柄を延べ竿式に連接した、全長が段階的に調節可能なものが適用できる。伸縮継ぎ柄は全長にわたり中空構造で、先端の吸盤から１本または数本束ねの操作紐が中空伸縮継ぎ柄の内部空間を貫通する。操作紐は、釣糸のようなナイロンテグスが適用できる。伸縮継ぎ柄の後端から操作紐を導出させ、適当な長さのところで切断して、切断した先端部に結び目などの戻り止めを形成する。伸縮継ぎ柄の後端部は作業員が片手で握る部所であり、この後端から導出した操作紐を片手で引っ張る。
【００１２】
本発明においては、伸縮継ぎ柄の先端に固定式コテバケ構造の中継部材を連結し、この中継部材に吸盤を取付け、操作紐を挿通させることができる。
【００１３】
ここでの固定式コテバケ構造は、平らで滑らかな面の塗装に使用されるコテバケと同様な構造のことで、固定式コテバケ構造の中継部材は、筒状の把手部と、把手部の先端に所定の傾斜角度で固定した平坦な作業板部を備える。筒状の把手部を伸縮継ぎ柄の先端部にねじ込み式あるいは差し込み式に連結し、平坦な作業板部の前面中央部に吸盤の取付座部を取付ける。吸盤からの操作紐が中継部材の作業板部を貫通し、筒状把手部の中を通って伸縮継ぎ柄の中空へと挿通される。
【００１４】
また、本発明においては、吸盤は、吸盤の中央部（取付座部）を引っ張って吸盤周縁部（弾性変形部周縁部）を物品吸着方向に変形させる強制変形部材を付設した強力式吸盤を適用し、この強力式吸盤の強制変形部材を手動で操作する操作条体を、吸盤自体を手動で変形させる操作紐に添設させて伸縮継ぎ柄を貫通させることができる。
【００１５】
ここでの強力式吸盤は、強力吸盤と通称されているもので、吸盤が中央の取付座部から弾性変形部を傘状に拡げた形状の場合、取付座部と弾性変形部の外面にテコ式のカム部材と吸盤押えを備えた強制変形部材が設置される。吸盤を窓枠に吸着させた状態で強制変形部材の吸盤押えで弾性変形部の周縁部近くを押え、立てた状態のカム部材を操作条体で引っ張って倒すと、テコの原理で吸盤の中央部が周縁部に対して強力に引っ張られて、窓枠との間に強力な真空を作り、窓枠を強力に吸着する。このような強力式吸盤は、市販品が適用できる。強力式吸盤を操作する操作条体は、吸盤の周縁部を直接に操作する操作紐と同様な紐、糸が適用できる。この操作条体と操作紐は共に伸縮継ぎ柄の後端から導出されて、この導出した部分で紐を引っ張るといった片手操作が行われる。そのため、この導出した部分は一目で操作条体であるか操作紐であるかが分かるように色分けしたり、目印などを付けておくことが望ましい。
【発明の効果】
【００１６】
本発明によれば、伸縮継ぎ柄の先端の吸盤から操作紐を伸縮継ぎ柄の中空を貫通させて、伸縮継ぎ柄の後端から導出した操作紐を引っ張る操作することで吸盤を弾性変形させるようにしたので、操作紐の引っ張るときの操作性が安定かつ良好となり、吸盤を正確に変形させて窓枠の着脱作業を良好なものにするといった優れた効果を奏し得る。また、伸縮継ぎ柄を短くして保管や運搬することができて、警報窓枠着脱工具の保管スペースが小さくでき、運搬時の設備破損を低減させることができる。
【００１７】
また、吸盤に強力式吸盤を使用し、この強力式吸盤を変形させて吸着力を高める操作条体を伸縮継ぎ柄の中空に貫通させることで、窓枠を吸着した吸盤の吸着力を片手操作でさらに高めることができ、窓枠が大形重量化されてもこれを安定して警報窓に着脱することができ、警報窓枠着脱工具の信頼性が増す。
【発明を実施するための最良の形態】
【００１８】
以下、本発明の実施の形態を、図１〜図３を参照して説明する。
【００１９】
図１（Ａ）（Ｂ）と図２に示す第１の実施の形態の警報窓枠着脱工具１０は、制御盤１の警報窓２に嵌め込み式に取付けられる窓枠３を吸着する吸盤１１と、吸盤１１を前面に固定した中継部材１２と、中継部材１２を先端に着脱自在に連結した中空の伸縮継ぎ柄１３を備える。吸盤１１に一本の操作紐１５の片端が繋留される。操作紐１５は、吸盤１１から中継部材１２と伸縮継ぎ柄１３の中を貫通して、伸縮継ぎ柄１３の後端から外に導出される。
【００２０】
図１（Ｂ）に示す窓枠３は、樹脂製の矩形枠３ａと、矩形枠３ａに周縁部が固定された樹脂製の透明窓板３ｂを有する。透明窓板３ｂの、図１（Ｂ）の鎖線で示す前面中央部分が円形の吸盤１１で適宜に吸着される。吸盤１１はゴム製または軟質樹脂製の市販品で、窓枠３ａを直接的に負圧で吸着する傘状の弾性変形部１１ａと、弾性変形部１１ａの中央部と一体である肉厚の取付座部１１ｂを有する。吸盤１１はタブ付吸盤で、弾性変形部１１ａの周縁部外面にタブ１１ｃを一体に有する。
【００２１】
中継部材１２は固定式コテバケ構造で、矩形で前面が平坦な作業板部１２ａと、作業板部１２ａの後面中央部から所定の傾斜角度で後方に延在する筒状の把手部１２ｂを備える。作業板部１２ａの前面中央部に吸盤１１の取付座部１１ｂが固定または結束バンド（ケーブルタイ）などで着脱自在に連結される。作業板部１２ａの一部に板厚方向に紐挿通穴（図示せず）を貫通させ、この紐挿通穴と筒状把手部１２ｂに操作紐１５を挿通する。このような固定式コテバケ構造の中継部材１２は、市販の塗装用コテバケを一部改造したものが適用できる。
【００２２】
伸縮継ぎ柄１３は、径の異なる２本の軽量な直管状パイプ柄１３ａ、１３ｂを延べ竿式に連結したものである。大径のパイプ柄１３ａの後端部にグリップ１３ｃが固定される。図２に示すように大径のパイプ柄１３ａの中に小径のパイプ柄１３ｂのほぼ全長が収まって、伸縮継ぎ柄１３が最小長さに縮小され、この長さで窓枠着脱工具１０の保管や運搬が行われる。大径のパイプ柄１３ａから小径のパイプ柄１３ｂを引き出し、図１に示す長さで両パイプ柄１３ａ、１３ｂを互いに反対方向に相対回転させて固定することで、伸縮継ぎ柄１３が最大長さに調整され、この長さで窓枠着脱作業が行われる。小径のパイプ柄１３ｂの先端部に中継部材１２の把手部１２ｂが同軸に連接される。この連接は、把手部１２ｂの端部をパイプ柄１２ｂの先端部内にねじ込むことで行えばよい。
【００２３】
警報窓枠着脱工具１０の製造組立は、図２に示すように行えばよい。伸縮継ぎ柄１３と中継部材１２が別々な状態にあるとき、短くした伸縮継ぎ柄１３の中に操作紐１５を針金１７を使用して挿通する。針金１７は形状記憶合金製で、一端に操作紐１５を繋留して、他端からパイプ柄１３ａに挿通する。グリップ部１３ｃの後端にドリルで小穴を形成して、この小穴から針金１７を通し、続いて操作紐１５を通す。伸縮継ぎ柄１３の中空に針金１７と操作紐１５を貫通させると、次は、針金１７を中継部材１２の筒状把手部１２ｂの中空を貫通させ、さらに作業板部１２ａにドリルで形成した小穴を貫通させて、続いて操作紐１５を貫通させる。作業板部１２ａを貫通した操作紐１５の先端部を針金１７から外して、吸盤１１のタブ１１ｃに繋留する。中継部材１２の把手部１２ｂと伸縮継ぎ柄１３のパイプ柄１３ｂを連結し、伸縮継ぎ柄１３を最大長さに伸ばして、この伸縮継ぎ柄１３の後端から操作紐１５を導出させ、導出した操作紐１５を引っ張って導出部分の必要な長さを決め、必要な長さの箇所から切断し、必要な長さのところに結び目などの戻り止め１８を形成する。
【００２４】
以上の実施の形態の警報窓枠着脱工具１０は、次のように使用される。保管や運搬のときは伸縮継ぎ柄１３を最小長さにしておく。このようにすることで保管スペースが小さくて済み、また、片手に持っての運搬が便利であり、周辺設備に当たって設備破損させるトラブル発生が少なくなる。窓枠着脱の作業現場に運搬してから、伸縮継ぎ柄１３を所定の最大長さまで伸ばし、先端の吸盤１１に窓枠３を押し付けて吸着させる。図１（Ａ）に示すように、伸縮継ぎ柄１３を手に持って斜め上に起こし、吸盤１１とこれに吸着された窓枠３を制御盤１の所望の１つの警報窓２の手前まで上げる。この図１（Ａ）の状態のとき、吸盤１１に吸着された窓枠３はほぼ鉛直な姿勢となり、警報窓２の鉛直な面にほぼ平行に対向する。また、このように窓枠３と警報窓２がほぼ平行に対向するように、中継部材１２の作業板部１２ａと把手部１２ｂの成す角度が決められる。この角度を中継部材１２で確保することで、伸縮継ぎ柄１３は全長に亘り直線状の操作柄が適用でき、直線柄ゆえに伸縮容易な操作柄となり、へ字状の操作柄に比べ嵩張らず、取り扱に便利な操作柄となる。図１（Ａ）の状態で伸縮継ぎ柄１３を手にしてそのまま前に移動させると、吸盤１１に吸着された窓枠３が対応する警報窓２に平行移動的に接近移動して、警報窓２に嵌め込まれる。
【００２５】
警報窓２に窓枠３を嵌め込むと、伸縮継ぎ柄１３を持つ片手と別の片手で伸縮継ぎ柄１３の後端から垂れ下がる操作紐１５を下に引っ張ると、吸盤１１の弾性変形部１１ａの周縁部の一部が操作紐１５による引張力で変形して吸盤１１と窓枠３の間の負圧空間に空気が入り、正圧になって吸盤１１が窓枠３から簡単に離れるようになる。従って、伸縮継ぎ柄１３で吸盤１１を窓枠３から離しても、窓枠３は警報窓２に正常な姿勢で残り、脱落する心配もない。警報窓２から窓枠３を取り外す場合は、伸縮継ぎ柄１３で吸盤１１を窓枠３に押し付けて吸着させ、そのまま手前に移動させればよい。
【００２６】
次に、別の実施の形態を図３に基づき説明する。図３に示される吸盤１１は、強力式吸盤で、取付座部１１ａと弾性変形部１１ａの外面にテコ式のカム部材２２と吸盤押え２１を備えた強制変形部材２０を付設している。吸盤押え２１はオワンと通称されるもので、弾性変形部１１ａの外面の周縁部近くまでに添設されて、弾性変形部１１ａを押える。カム部材２２は一体にレバー部２３を備え、レバー部２３を引き倒すように動かすとカム部材２２が取付座部１１ａを弾性変形部１１ａに対して引き上げるように動作する。即ち、弾性変形部１１ａを窓枠３に押し付け吸着させ、吸盤押え２１で弾性変形部１１ａの周縁部近くを押えた状態で、カム部材２２に上記の動作をさせると、弾性変形部１１ａの中央部分が周縁部に対して強力に引っ張られて、窓枠３との間に強力な真空を作り出し、窓枠３を強力に吸着する。
【００２７】
図３の実施の形態は、強力式吸盤１１の強制変形部材２０を手動操作する操作条体１６を追加して装備する。操作条体１６は操作紐１５と同様な紐で、先端が強制変形部材２０のレバー部２３に繋留される。操作条体１６と操作紐１５は共に中継部材１２の中に挿通され、伸縮継ぎ柄１３の中空を貫通して伸縮継ぎ柄１３の後端から導出される。伸縮継ぎ柄１３の後端から導出された操作条体１６は、所望の長さで切断されて戻り止め１９が形成される。この戻り止め１９と操作紐１５の戻り止め１８は、両者紐の識別に利用できる。
【００２８】
吸盤１１を窓枠３に押し付けて吸着させたとき、伸縮継ぎ柄１３の後端から導出した操作条体１６を片手で引っ張ると、吸盤１１の窓枠３を吸着する力が増大し、増大した吸着力がそのまま維持される。吸盤１１で吸着した窓枠３を警報窓２に嵌め込んで、操作紐１５を引っ張ると、吸盤１１の周縁部が変形して吸着力が低下して窓枠３から離れる。吸盤１１に次の窓枠３を吸着させるときに、強力式吸盤１１の強制変形部材２０を元の状態に手で戻す。この元に戻す操作は、指一本のワンタッチ作業で簡単迅速に行える。
【００２９】
なお、本発明は、上記した実施の形態に限定されるものではなく、本発明の要旨を逸脱しない範囲内において種々変更を加え得ることは勿論である。
【図面の簡単な説明】
【００３０】
【図１】（Ａ）は本発明に係る警報窓枠着脱工具の実施の形態を示す使用時の側面図、（Ｂ）は窓枠の斜視図である。
【図２】図１（Ａ）の警報窓枠着脱工具の組立時の分解図である。
【図３】他の実施の形態を説明するための警報窓枠着脱工具の吸盤部分の側面図である。
【符号の説明】
【００３１】
１    制御盤
２    警報窓
３    窓枠
３ａ    矩形枠
３ｂ    透明窓板
１０    警報窓枠着脱工具
１１    吸盤
１１ａ    弾性変形部
１１ｂ    取付座部
１２    中継部材
１２ａ    作業板部
１２ｂ    把手部
１３    伸縮継ぎ柄
１３ａ    パイプ柄
１３ｂ    パイプ柄
１５    操作紐
１６    操作条体
２０    強制変形部材
【図１】
2006315101.tif 000003
【図２】
2006315101.tif 000004
【図３】
2006315101.tif 000005